(57)【要約】【課題】ネットフェンスの低コスト化及びデザイン性の向上を図る。【解決手段】ネットフェンス１は、一対の支柱２と、一対の支柱２に取り付けられた上下の胴縁３，４と、両胴縁３，４の間に張設されたひし形金網５とを備える。ひし形金網５は、胴縁３，４の延在方向に延びる複数の波形の列線５ａの屈曲部５ａ１同士を上下方向で互いに係合させてなる。上側の胴縁３を一対の支柱２に仮置きし、ひし形金網５及び下側の胴縁４を吊り下げた状態から、さらに下側の胴縁４を下方に引っ張ってひし形金網５に張力を付与した状態で、下側の胴縁４を一対の支柱２に固定する。【選択図】図６
2019124096.tif 000002
【特許請求の範囲】
【請求項１】
一対の支柱と、前記一対の支柱に取り付けられた上下の胴縁と、両胴縁の間に張設されたひし形金網とを備えたネットフェンスであって、
前記ひし形金網が、胴縁の延在方向に延びる複数の波形の列線の屈曲部同士を上下方向で互いに係合させてなり、
前記上側の胴縁を前記一対の支柱に取り付け、前記ひし形金網及び前記下側の胴縁を吊り下げた状態から、さらに前記下側の胴縁を下方に引っ張って前記ひし形金網に張力を付与した状態で、前記下側の胴縁を前記一対の支柱に固定したネットフェンス。
【請求項２】
前記ひし形金網の上下方向中間部に、前記胴縁の延在方向に直線状に延びる張線が設けられていない請求項１に記載のネットフェンス。
【請求項３】
前記支柱が、上下方向に延びる開口部が設けられた壁を有し、
前記支柱の開口部に前記ひし形金網の端部を挿入し、
前記ひし形金網の端部と前記各支柱の壁とで留め具を挟持することで、前記ひし形金網の端部を前記支柱に固定した請求項１又は２に記載のネットフェンス。
【請求項４】
一対の支柱を立設する工程と、
胴縁の延在方向に延びる複数の波形の列線の屈曲部同士を上下方向で互いに係合させてなるひし形金網を形成すると共に、前記ひし形金網の上端及び下端にそれぞれ胴縁を取り付ける工程と、
前記上側の胴縁を前記一対の支柱に仮置きし、前記ひし形金網及び前記下側の胴縁を吊り下げる工程と、
前記ひし形金網及び前記下側の胴縁を吊り下げた状態から、前記下側の胴縁をさらに下方に引っ張って前記ひし形金網に張力を付与した状態で、前記下側の胴縁を前記一対の支柱に固定する工程とを有するネットフェンスの製造方法。
【請求項５】
前記一対の支柱に取付金具を固定する工程と、前記取付金具と前記下側の胴縁とをボルトで固定する工程とを有し、
前記ボルトを締め付ける際の引き込み力により、前記下側の胴縁を下方に引っ張って前記ひし形金網に張力を付与する請求項４に記載のネットフェンスの製造方法。
【発明の詳細な説明】
【技術分野】
【０００１】
本発明は、ネットフェンス及びその製造方法に関する。
【背景技術】
【０００２】
ネットフェンスは、安全や防犯等を目的として建物や公園等に設けられる。ネットフェンスとしては、複数の波形の列線の屈曲部同士を互いに係合させてなる、いわゆるひし形金網を用いたものが広く知られている。
【０００３】
ひし形金網は、列線の数を増やすことで、列線の延在方向と直交する方向に延ばすことができる。同方向に長尺に形成されたひし形金網は、通常、ロール状に巻いた状態でネットフェンスの施工現場まで搬送される。そして、施工現場で、ロール状のひし形金網を平面状に展開しながら、列線の延在方向を上下方向とした状態で、予め設置された支柱及び胴縁に沿わせる。そして、ひし形金網の上下両端に水平方向に張線を挿通しながら、上下の胴縁に設けられた爪に張線を引っ掛けることで、ひし形金網が上下の胴縁に取り付けられる（下記の特許文献１参照）。しかし、このように、長尺のひし形金網に張線を挿通しながら胴縁に取り付ける作業は容易ではなく、施工に手間がかかるという問題がある。
【０００４】
これに対し、下記の特許文献２には、列線の延在方向を水平方向としたひし形金網を有するネットフェンスが示されている。このひし形金網には、予め上下両端に胴縁が取り付けられ、これらの一体品が施工現場まで搬送される。そして、施工現場で、ひし形金網を上下に引き延ばして平面状に展開し、地面に立設された一対の支柱の上部に上側の胴縁を仮置きする。この状態で、一対の胴縁を、それぞれ支柱の所定位置にボルト等で固定することで、ネットフェンスが組み立てられる。この場合、施工現場で、長尺のひし形金網に張線を挿通しながら胴縁に取り付ける作業が不要になるため、施工が容易になる。
【先行技術文献】
【特許文献】
【０００５】
【特許文献１】特開２００７−９８４２６号公報
【特許文献２】特開２０１５−１０３７２号公報
【発明の概要】
【発明が解決しようとする課題】
【０００６】
ネットフェンスは、強風が吹きつけた時やボール等が当たった時の強度を確保するために、ひし形金網の上下方向中間部に水平方向の張線を挿通して補強することが一般的である。例えば、上記特許文献１の図２には、ひし形金網に２本の張線を設けた構成が示され、上記特許文献２の図１には、ひし形金網に１本の張線を設けた構成が示されている。
【０００７】
しかし、上記のようにひし形金網に水平方向の張線を設けると、製造工数が増えてコスト高を招く。また、ひし形の網目模様に水平方向の張線が設けられると、張線が非常に目立ってしまい、ネットフェンスのデザイン性が低下する。
【０００８】
本発明は、ネットフェンスの低コスト化及びデザイン性の向上を目的とする。
【課題を解決するための手段】
【０００９】
前記課題を解決するために、本発明は、一対の支柱と、前記一対の支柱に取り付けられた上下の胴縁と、両胴縁の間に張設されたひし形金網とを備えたネットフェンスであって、前記ひし形金網が、胴縁の延在方向に延びる複数の波形の列線の屈曲部同士を上下方向で互いに係合させてなり、前記上側の胴縁を前記一対の支柱に取り付け、前記ひし形金網及び前記下側の胴縁を吊り下げた状態から、さらに前記下側の胴縁を下方に引っ張って前記ひし形金網に張力を付与した状態で、前記下側の胴縁を前記一対の支柱に固定したネットフェンスを提供する。
【００１０】
また、前記課題を解決するために、本発明は、一対の支柱を立設する工程と、胴縁の延在方向に延びる複数の波形の列線の屈曲部同士を上下方向で互いに係合させてなるひし形金網を形成すると共に、前記ひし形金網の上端及び下端にそれぞれ胴縁を取り付ける工程と、前記上側の胴縁を前記一対の支柱に仮置きし、前記ひし形金網及び前記下側の胴縁を吊り下げる工程と、前記ひし形金網及び前記下側の胴縁を吊り下げた状態から、前記下側の胴縁をさらに下方に引っ張って前記ひし形金網に張力を付与した状態で、前記下側の胴縁を前記一対の支柱に固定する工程とを有するネットフェンスの製造方法を提供する。
【００１１】
上記のように、上側の胴縁を一対の支柱に仮置きしてひし形金網及び下側の胴縁を吊り下げた状態から、下側の胴縁をさらに下方に引っ張ってひし形金網に張力を付与し、この状態で下側の胴縁を一対の支柱に固定することで、ひし形金網の強度を高めることができる。これにより、ひし形金網の上下方向中間部に設けられる直線状の張線の数を減じ、あるいはこのような張線を無くすことができるため、ネットフェンスの低コスト化が図られると共に、ネットフェンスのデザイン性が高められる。
【００１２】
上記のネットフェンスでは、胴縁延在方向（以下、幅方向と言う）に延びる波形の列線からなるひし形金網に、上下方向の張力が付与されている。この張力により、波形の列線の屈曲部のピッチが狭まる方向、すなわち、ひし形金網の幅方向寸法が縮小する方向の張力が作用する。この場合、支柱の壁に設けられた上下方向に延びる開口部にひし形金網の幅方向端部を挿入し、このひし形金網の幅方向端部と支柱の壁との間に留め具を配することで、ひし形金網の幅方向の張力により、ひし形金網の幅方向端部と各支柱の壁とで留め具が挟持され、ひし形金網の幅方向端部が支柱に固定される。このように、ひし形金網の張力を利用し、留め具を介してひし形金網の端部を支柱に固定することで、ボルト及びナットを用いる場合と比べて部品数及び取付工数を削減して低コスト化を図ることができる。
【００１３】
上記のネットフェンスを製造するにあたり、一対の支柱に取付金具を固定する工程と、取付金具と下側の胴縁とをボルトで固定する工程とを設ければ、ボルトを締め付ける際の引き込み力により、下側の胴縁を下方に引っ張ってひし形金網に張力を付与することができる。
【発明の効果】
【００１４】
以上のように、本発明によれば、ひし形金網の上下方向中間部に設けられる直線状の張線の数を減じ、あるいは無くすことができるため、ネットフェンスの低コスト化及びデザイン性の向上が図られる。
【図面の簡単な説明】
【００１５】
【図１】ネットフェンスの正面図である。
【図２】支柱の斜視図である。
【図３】上側の胴縁の斜視図である。
【図４】下側の胴縁の斜視図である。
【図５】支柱と下側の胴縁との取付部を示す斜視図である。
【図６】図１のＡ−Ａ断面図である。
【図７】支柱と下側の胴縁との取付部を、図１のＢ方向から見た下面図である。
【図８】図６のＧ−Ｇ断面図である。
【図９】ネットフェンスの拡大正面図である。
【図１０】ひし形金網と支柱との取付部を示す断面図であり、図１１のＤ−Ｄ断面図である。
【図１１】ひし形金網と支柱との取付部を、図１０のＥ方向から見た側面図である。
【図１２】（Ａ）は図１のＣ−Ｃ断面図である。（Ｂ）は、（Ａ）図のＦ−Ｆ断面図である。
【図１３】（Ａ）はひし形金網の正面図、（Ｂ）は伸縮パネルの正面図、（Ｃ）は伸縮パネルを縮めた状態の正面図である。
【発明を実施するための形態】
【００１６】
以下、本発明の実施の形態を図面に基づいて説明する。
【００１７】
本実施形態に係るネットフェンス１は、図１に示すように、設置面Ｓ（地面や床面）に立設された一対の支柱２，２と、両端が支柱２，２に取り付けられ、上下方向に離間して設けられた上側の胴縁３及び下側の胴縁４と、上下の胴縁３，４の間に張設されたひし形金網５とを備える。図示例では、複数のネットフェンス１が並べて設置され、隣接するネットフェンス１の支柱２同士が連結されている。尚、以下の説明では、支柱２の延在方向を「上下方向」、胴縁３，４の延在方向を「幅方向」、支柱２及び胴縁３，４と直交する方向を「フェンス厚さ方向」と言う。図示例では、ネットフェンス１を水平な設置面に設置する場合を示し、上下方向が鉛直方向であり、幅方向が水平方向である。
【００１８】
支柱２は、図２に示すように、上下方向に延びる筒状を成している。本実施形態の支柱２は、断面略矩形の角筒状を成し、具体的には、幅方向内側（対向する支柱２に近い側）に設けられた前壁２ａと、幅方向外側（対向する支柱２から遠い側）に設けられた後壁２ｂと、前壁２ａと後壁２ｂとを連結する一対の側壁２ｃとを有する。前壁２ａには、上下方向に延びる開口部２ｄが設けられる。図示例では、前壁２ａが、一対の側壁２ｃの幅方向内側の端部からフェンス厚さ方向内側（互いに接近する側）に延びる一対の前面部２ａ１と、各前面部２ａ１のフェンス厚さ方向内側の端部から幅方向外側に向けて延びる折り曲げ部２ａ２とを有する。
【００１９】
各支柱２の上部には、上側の胴縁３を仮置きするための支持部が設けられる。図示例では、一対の前壁２ａの上端が、支柱２の他の部分（後壁２ｂ及び側壁２ｃ）の上端よりも下方に設けられ、この一対の前壁２ａの上端が支持部となる。一対の側壁２ｃの上端付近には、上側の胴縁３を固定するための穴２ｃ１が設けられる。
【００２０】
上側の胴縁３は、図３に示すように、水平方向に延びる筒状を成している。本実施形態の上側の胴縁３は、断面略矩形の角筒状を成し、具体的には、下壁３ａと、上壁３ｂと、これらを連結する一対の側壁３ｃとを有する。下壁３ａには、幅方向に延びる開口部３ｄが設けられる。図示例では、下壁３ａが、一対の側壁３ｃの下端からフェンス厚さ方向内側に延びる一対の下面部３ａ１と、各下面部３ａ１のフェンス厚さ方向内側の端部から上方に延びる折り曲げ部３ａ２とを有する。一対の側壁３ｃには、支柱２と固定するための穴３ｃ１が設けられる。
【００２１】
下側の胴縁４は、図４に示すように、水平方向に延びる筒状を成し、おおよそ上側の胴縁３を上下反転させた構成を有している。具体的に、下側の胴縁４は、上壁４ａと、下壁４ｂと、これらを連結する一対の側壁４ｃとを有する。上壁４ａには、幅方向に延びる開口部４ｄが設けられる。図示例では、上壁４ａが、一対の側壁４ｃの上端からフェンス厚さ方向内側に延びる一対の上面部４ａ１と、上面部４ａ１のフェンス厚さ方向内側の端部から下方に延びる折り曲げ部４ａ２とを有する。下壁４ｂの端部付近には、穴４ｂ１が設けられる。また、下壁４ｂの長手方向中間部には、複数の水抜き穴が設けられる（図示省略）。下側の胴縁４の長さは、上側の胴縁３よりも短く、一対の支柱２の間隔よりも僅かに小さい。
【００２２】
下側の胴縁４は、図５〜図８に示すように、取付金具１１を介して支柱２に取り付けられる。取付金具１１は、下側の胴縁４に固定された胴縁固定部１１ａと、留め具１２及びボルト１３により支柱２に固定された支柱固定部１１ｂとを有する。図示例では、胴縁固定部１１ａと支柱固定部１１ｂとが金属板で一体に形成される。尚、図５〜図８では、ひし形金網５の図示を省略している。
【００２３】
図６に示すように、取付金具１１の胴縁固定部１１ａは、底部１１ａ１と、底部１１ａ１のフェンス厚さ方向両端から上方に延びる側部１１ａ２とを有する。図８に示すように、底部１１ａ１に設けられた穴１１ａ１０と、下側の胴縁４の下壁４ｂに設けられた穴４ｂ１とにボルト８ａを挿通し、ナット８ｂを締結することで、取付金具１１の胴縁固定部１１ａと下側の胴縁４とが固定される。一対の側部１１ａ２は、下側の胴縁４を胴縁固定部１１ａに固定する際に、下側の胴縁４をフェンス厚さ方向両側から支持するガイドの役割を果たす。
【００２４】
図７及び図８に示すように、取付金具１１の支柱固定部１１ｂは、支柱２の前壁２ａに着座する本体１１ｂ１と、本体１１ｂ１の下端から支柱２の幅方向外側に延びる係止片１１ｂ２とを有する。本体１１ｂ１は、平板状をなし、略中央に穴１１ｂ１０を有する。係止片１１ｂ２は、支柱２の開口部２ｄの幅よりも若干小さい幅を有し、開口部２ｄに入り込んでいる。
【００２５】
留め具１２は、略矩形状を成した金属板で形成される（図６参照）。留め具１２の対角線方向で対向する角部には、切り欠き部１２ｂが設けられる。留め具１２の中央には、ねじ穴１２ａが設けられる（図７及び図８参照）。留め具１２の幅方向内側の面には、上下方向に延びる一対の溝１２ｃが設けられる（図７参照）。留め具１２のフェンス厚さ方向の幅Ｗ１は、支柱２の一対の側壁２ｃの間隔Ｗ２よりも小さく、支柱２の開口部２ｄの幅Ｗ３よりも大きい（図７参照）。留め具１２の上下方向寸法Ｗ４（図６参照）は、支柱２の開口部２ｄの幅Ｗ３よりも小さい。
【００２６】
図７及び図８に示すように、取付金具１１の支柱固定部１１ｂの穴１１ｂ１０にボルト１３を挿通し、支柱２の内部に配した留め具１２のねじ穴１２ａに螺合させて締め付けることにより、取付金具１１と留め具１２とで支柱２の前壁２ａの折り返し部２ａ２が挟持され、取付金具１１が支柱２の所定の高さに固定される。この場合、外部から見えやすい支柱２の側面に、ボルト１３や留め具１２（ナット）が露出しないため、ネットフェンス１のデザイン性が向上する。
【００２７】
ボルト１３を締め付ける際、取付金具１１の支柱固定部１１ｂの係止片１１ｂ２が支柱２の開口部２ｄに挿入され、支柱２の前壁２ａと係合することにより、取付金具１１の連れ回りが規制される。また、留め具１２のうち、切り欠き部１２ｂが設けられていない角部１２ｄ（図６参照）が支柱２の側壁２ｃと干渉すると共に、留め具１２の溝１２ｃが支柱２の前壁２ａの折り返し部２ａ２に嵌合することで（図７参照）、留め具１２の連れ回りが規制される。
【００２８】
ひし形金網５は、図９に示すように、幅方向に延びる複数の波形の列線５ａで構成される。各列線５ａの屈曲部５ａ１は、隣接する列線５ａの屈曲部５ａ１と上下方向に係合している。図示例では、ひし形金網５の網目の幅方向のピッチＬ１が、上下方向のピッチＬ２よりも小さい。ひし形金網５の幅方向両端部では、図１０に示すように、隣接する列線５ａの端部が、互いに交差した状態で略１８０°折り返され、これにより列線５ａの端部同士の結合部Ｐが形成される（このような結合部Ｐを「完全ナックル」と言う）。このように、隣接する列線５ａの端部同士を結合することで、施工時等にひし形金網５を伸縮させる際に列線５ａ同士が外れることがなく、扱いやすい。
【００２９】
ひし形金網５の幅方向両端は、支柱２に取り付けられる。本実施形態では、図１０に示すように、ひし形金網５の幅方向両端に設けられた列線５ａの端部同士の結合部Ｐが、支柱２の内部に収容されている。そして、上下方向の少なくとも一箇所において、結合部Ｐと支柱２の前壁２ａとの間に留め具２０が配される。本実施形態では、図１１に示すように、留め具２０が支柱２の開口部２ｄの幅よりも大きいフェンス厚さ方向寸法を有し、これにより留め具２０が支柱２の前壁２ａに幅方向外側から係合して、結合部Ｐを支柱２の内部に留めている。留め具２０としては、例えば、図６〜図８に示す留め具１２と同様のものが使用できる。
【００３０】
ひし形金網５の上端には、係合部材を介して上側の胴縁３が取り付けられる。係合部材としては、例えば図１２（Ａ）（Ｂ）に示すようなコイル６が用いられる。コイル６は、螺旋状に巻回した鋼線からなる。コイル６のピッチは、ひし形金網５の列線５ａの屈曲部５ａ１のピッチと等しい。コイル６のフェンス厚さ方向の幅は、上側の胴縁３の開口部３ｄの幅よりも大きい。コイル６が、ひし形金網５の上端の列線５ａの屈曲部５ａ１に挿通されると共に、上側の胴縁３の下壁３ａと上下方向で係合することで、ひし形金網５がコイル６を介して上側の胴縁３に取り付けられる。同様に、ひし形金網５の下端は、係合部材としてのコイルを介して、下側の胴縁４に取り付けられる（図示省略）。
【００３１】
次に、ネットフェンス１の製造方法（施工方法）を説明する。
【００３２】
まず、金網製造工場においてひし形金網５を形成する｛図１３（Ａ）参照｝。ひし形金網５の幅方向両端には、列線５ａ同士の結合部Ｐが形成される（図１０参照）。
【００３３】
次に、図１３（Ｂ）に示すように、ひし形金網５の上下方向両端に上側の胴縁３及び下側の胴縁４を取り付けて、伸縮パネル３０を形成する。具体的には、ひし形金網５の上下両端の列線５ａの屈曲部５ａ１にコイル６を挿通し、各コイルを上下の胴縁３，４の内周に挿入することで、ひし形金網５の上下両端に胴縁３，４が取り付けられる（図１２参照）。
【００３４】
本実施形態では、ひし形金網５の列線５ａの延在方向と、胴縁３，４の延在方向とが平行であるため、図１３（Ｃ）に示すように、ひし形金網５を縮めながら胴縁３，４を接近させて、伸縮パネル３０をコンパクトに収納することができる。これにより、伸縮パネル３０の輸送時や保管時のスペースが縮小されるため、輸送コスト及び保管コストを低減することができる。
【００３５】
次に、施工現場において、設置面に複数の支柱２を立設する。本実施形態では、図１に示すように、複数のネットフェンス１が横方向に連結して使用される。この場合、複数のネットフェンス１の連結部に設けられる支柱２が、図２に点線で示すように背中合わせの状態で配され、これらの支柱２の後壁２ｂ同士がリベット等により予め結合される。複数のネットフェンス１の端部に設けられる支柱２は、単体で使用される。各支柱２には、取付金具１１が、留め具１２及びボルト１３により所定の高さに固定されている。
【００３６】
そして、伸縮パネル３０を上下に引き延ばして展開しながら、上側の胴縁３を一対の支柱２の上部に仮置きする。具体的には、図１２（Ａ）に示すように、上側の胴縁３の端部を、支柱２の一対の側壁２ｃの間に嵌め込みながら、支柱２の前壁２ａの上に載置する。この状態で、支柱２の側壁２ｃの穴２ｃ１（図２参照）と上側の胴縁３の側壁３ｃの穴３ｃ１（図３参照）とにボルト７ａを挿通し、このボルト７ａにナット７ｂを締め付けることで、支柱と上側の胴縁３とが固定される｛図１２（Ａ）参照｝。
【００３７】
上記のように、上側の胴縁３を一対の支柱２の上部に仮置きし、ひし形金網５及び下側の胴縁４を自重のみで吊り下げた状態では、図６に鎖線で示すように、下側の胴縁４が、実線で示す固定位置よりも上方に配される。この状態で、下側の胴縁４の穴４ｂ１及び取付金具１１の胴縁固定部１１ａの穴１１ａ１０にボルト８ａを挿通し（図８参照）、このボルト８ａをナット８ｂに螺合させて締め付ける。このボルト８ａを締め付ける際の引き込み力により、下側の胴縁３が下方に引き下げられ、取付金具１１の胴縁固定部１１ａの底部１１ａ１に当接した状態で固定される。
【００３８】
こうして、下側の胴縁４を下方に引っ張った状態で支柱２に固定することで、ひし形金網５に上下方向の張力が付与されるため、ひし形金網５をきれいに張ることができる。また、ひし形金網５に張力が付与されることで、ひし形金網５の強度が高められるため、ひし形金網５の上下方向中間部に水平方向の張線を設ける必要が無くなる。これにより、図１に示すように、ひし形金網５を、上下方向中間部（支柱２及び胴縁３，４と重ならない領域）に水平方向の張線が設けられていない構成とすることができる。このようにひし形金網５を補強する張線を省略することで、ネットフェンス１の低コスト化が図られると共に、ひし形金網５の模様がひし形の網目のみで構成されるため、デザイン性が向上する。
【００３９】
また、ひし形金網５が上下に引っ張られることで、波形の列線５ａの屈曲部５ａ１のピッチが狭まる方向、すなわち、ひし形金網５の幅方向寸法が縮小する方向の張力が付与される。これにより、図１０に点線で示すように、ひし形金網５の列線５ａ同士の結合部Ｐが支柱２よりも幅方向内側に配された状態となる。この結合部Ｐを、留め具２０で支柱２の内部に押し込む。具体的には、図１１に鎖線で示すように留め具２０の長手方向を上下方向とし、この状態の留め具２０によりひし形金網５の結合部Ｐを支柱２の内部に押し込み（図１０の矢印参照）、その後、支柱の２の内部で留め具２０を９０°回転させる（図１１の矢印参照）。これにより、ひし形金網５の幅方向の張力により、結合部Ｐが留め具２０を支柱２の前壁２ａに押し付け、留め具２０を介して結合部Ｐが支柱２に固定されると共に、留め具２０自身が結合部Ｐと支柱２の前壁２ａとで挟持固定される。
【００４０】
このように、ひし形金網５の張力を利用して、留め具２０でひし形金網５の幅方向両端を支柱２に係止することで、例えばボルト及びナットを用いてひし形金網５の幅方向両端を支柱２に取り付ける場合と比べて、取り付けが容易化される。また、外部から見える支柱２の外面（特に側壁２ｃの外面）にボルトやナットが配されないため、ネットフェンス１のデザイン性が向上する。以上により、ネットフェンス１が完成する。
【００４１】
本発明は上記の実施形態に限られない。例えば、ネットフェンス１を施工するにあたり、上側の胴縁３を一対の支柱２に取り付け、ひし形金網５及び下側の胴縁４を吊り下げた状態で、治具等を用いて下側の胴縁４をさらに下方に引っ張ってひし形金網５に張力を付与してもよい。
【００４２】
また、上記の実施形態では、ひし形金網５の幅方向両端を支柱２に取り付ける手段として、取付金具１１を支柱２に取り付けるための留め具１２と同じ留め具２０を用いた場合を示したが、これに限られない。例えば、留め具２０には、ねじ穴１２ａは不要であるため、ねじ穴を省略してもよい。また、留め具２０に、治具（例えばマイナス又はプラスドライバー）が差し込まれる溝を設けておけば、治具を溝に挿し込んだ状態で留め具２０を支柱２の内部に押し込み、この状態で、治具と溝とを係合させて留め具２０を回転させることができるため、施工性が向上する。また、ひし形金網５と支柱２とをボルト及びナット等で固定してもよい。
【符号の説明】
【００４３】
１     ネットフェンス
２     支柱
３，４ 胴縁
５     ひし形金網
５ａ   列線
５ａ１ 屈曲部
１１   取付金具
１２   留め具
１３   ボルト
２０   留め具
３０   伸縮パネル
Ｐ     列線の結合部
【図１】
2019124096.tif 000003
【図２】
2019124096.tif 000004
【図３】
2019124096.tif 000005
【図４】
2019124096.tif 000006
【図５】
2019124096.tif 000007
【図６】
2019124096.tif 000008
【図７】
2019124096.tif 000009
【図８】
2019124096.tif 000010
【図９】
2019124096.tif 000011
【図１０】
2019124096.tif 000012
【図１１】
2019124096.tif 000013
【図１２】
2019124096.tif 000014
【図１３】
2019124096.tif 000015
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
一対の支柱と、前記一対の支柱に取り付けられた上下の胴縁と、両胴縁の間に張設されたひし形金網とを備えたネットフェンスであって、
前記ひし形金網が、胴縁の延在方向に延びる複数の波形の列線の屈曲部同士を上下方向で互いに係合させてなり、
前記上側の胴縁を前記一対の支柱に取り付け、前記ひし形金網及び前記下側の胴縁を吊り下げた状態から、さらに前記下側の胴縁を下方に引っ張って前記ひし形金網に張力を付与した状態で、前記下側の胴縁を前記一対の支柱に固定し、
前記支柱が、上下方向に延びる開口部が設けられた壁を有し、
前記支柱の開口部に前記ひし形金網の端部を挿入し、
前記ひし形金網の端部と前記各支柱の壁とで留め具を挟持することで、前記ひし形金網の端部を前記支柱に固定したネットフェンス。
【請求項２】
前記ひし形金網の上下方向中間部に、前記胴縁の延在方向に直線状に延びる張線が設けられていない請求項１に記載のネットフェンス。
【請求項３】
一対の支柱を立設する工程と、
胴縁の延在方向に延びる複数の波形の列線の屈曲部同士を上下方向で互いに係合させてなるひし形金網を形成すると共に、前記ひし形金網の上端及び下端にそれぞれ胴縁を取り付ける工程と、
前記上側の胴縁を前記一対の支柱に仮置きし、前記ひし形金網及び前記下側の胴縁を吊り下げる工程と、
前記ひし形金網及び前記下側の胴縁を吊り下げた状態から、前記下側の胴縁をさらに下方に引っ張って前記ひし形金網に張力を付与した状態で、前記下側の胴縁を前記一対の支柱に固定する工程とを有するネットフェンスの製造方法であって、
前記一対の支柱に取付金具を固定する工程と、前記取付金具と前記下側の胴縁とをボルトで固定する工程とをさらに有し、
前記ボルトを締め付ける際の引き込み力により、前記下側の胴縁を下方に引っ張って前記ひし形金網に張力を付与するネットフェンスの製造方法。